(57)【特許請求の範囲】
【請求項１】
駆動源としての電動モータと、該電動モータに電力を供給する電源と、これらを水中及び大気中において水密状態で内装するハウジングを備え、
前記電動モータとしてＤＣブラシレスモータを内装し、前記電源としてバッテリパックを取り付け可能な電動工具であって、
前記ハウジングは、前記電動モータと、該電動モータの起動により回転して該電動モータにモータ冷却風を送風可能とする冷却ファンと、前記電動モータにより回転駆動され、前記電動モータの前方に配置される歯車列を収容するハウジング本体部を有し、
前記歯車列により回転駆動されるスピンドルと、
前記ハウジング本体部に繋がり、前記スピンドルを収容するフロントケースと、
前記ハウジング本体部に繋がるハウジンググリップ部と、
前記ハウジンググリップ部に繋がり、前記バッテリパックを取り付け可能なバッテリ取り付け部と、を有し、
前記ハウジング本体部と前記フロントケースの間に、シール部材を配置し、前記ハウジング本体部に対して前記フロントケースをネジ止めにより固定し、
前記スピンドルと前記フロントケースの間に、軸受を配置し、前記軸受の外側にシール部材を配置した電動工具。
【請求項２】
請求項１記載の電動工具であって、
前記ハウジング本体部に、モータ冷却風を吸排気するための吸気孔と排気孔を備え、かつ該吸気孔と該排気孔を水中及び大気中において水密に塞ぐための本体防水カバーを取り付け可能な構成とした電動工具。
【請求項３】
請求項１又は２記載の電動工具であって、
前記ハウジング本体部に、前記電動モータに接触させた固定子フレームを外部に露出させる窓部を設けた電動工具。
【請求項４】
請求項１〜３の何れか１項に記載した電動工具であって、
前記バッテリ取り付け部に、前記バッテリパックを水密に覆うためのバッテリ防水カバーを設けた電動工具。
【請求項５】
請求項４記載の電動工具であって、前記バッテリ取り付け部に、前記電動モータの動作を制御するコントローラに接触させた放熱板を外部に露出させる窓部を設けた電動工具。
【請求項６】
ブラシレスモータと、
前記ブラシレスモータの起動により回転して前記ブラシレスモータにモータ冷却風を送風可能とする冷却ファンと、
前記ブラシレスモータにより回転駆動され、前記ブラシレスモータの前方に配置される歯車と、
前記歯車により回転駆動されるスピンドルと、
前記ブラシレスモータと前記冷却ファンと前記歯車を収容するハウジング本体部と、
前記ハウジング本体部に繋がり、前記スピンドルを支持するフロントケースと、
前記ハウジング本体部に繋がるハウジンググリップ部と、
前記ハウジンググリップ部に繋がるバッテリ取り付け部と、
前記バッテリ取り付け部に取り付けられるバッテリパックと、を有し、
前記ハウジング本体部と前記フロントケースとの間に、シール部材を配置し、前記ハウジング本体部に対して前記フロントケースをネジ止めにより固定し、
前記スピンドルと前記フロントケースの間に、軸受を配置し、前記軸受の外側にシール部材を配置し、
前記ハウジング本体部、前記フロントケースを含むハウジングによって、前記ブラシレスモータ及び前記バッテリパックとを水中及び大気中において水密状態とする回転電動工具。
【発明の詳細な説明】
【技術分野】
【０００１】
本発明は、例えばねじ締め機や電気ドリル等の電動工具の主として防水構造に関する。
【背景技術】
【０００２】
例えばポリッシャやサンダと称される主として手持ち式の電動工具を用いて金属表面の研磨加工（磨き作業）を行う際には、加工により発生する粉塵の飛散を防止するために加工部位に水を流して粉塵を洗い流すことが行われる。このため、この種の電動工具では、通常の防塵性に加えて高い防水性が要求される。下記の特許文献１には、通常の半割り構造ではなく、筒体形のハウジングを用いることにより高い防水性を確保した電動工具が開示されている。
【先行技術文献】
【特許文献】
【０００３】
【特許文献１】特開２０１４−５０９２１号公報
【発明の概要】
【発明が解決しようとする課題】
【０００４】
しかしながら、従来高い防水性を確保するためにハウジングの密閉性（水密性）を高めると、駆動源として内装した電動モータについてカーボンブラシの粉塵対策を別途施す必要があるが、従来係る粉塵対策については不十分であった。
【０００５】
本発明は、ハウジング内の粉塵対策を施しつつ、例えば水中や豪雨中の屋外での使用をも可能とする極めて高い防水性（水密性）を有するとともに、ハウジング内の粉塵について対策を施した電動工具を提供することを目的とする。
【課題を解決するための手段】
【０００６】
上記した課題は、以下の各発明によって解決される。第１の発明は、駆動源としての電動モータと、電動モータに電力を供給する電源と、これらを水密状態で内装するハウジングを備え、電動モータとしてＤＣブラシレスモータを内装し、電源としてバッテリパックを取り付け可能な電動工具である。
【０００７】
第１の発明によれば、電動モータとしてＤＣブラシレスモータを内装していることから、ブラシモータに要求されるカーボンブラシの粉塵対策を施す必要がない。これにより、ハウジングの水密性をより高めて当該ＤＣブラシレスモータ及びバッテリパックを内装することができ、これにより当該電動工具の水中での使用を可能とすることができる。
【０００８】
第２の発明は、駆動源としての電動モータと、電動モータに電力を供給する電源と、これらを水密状態で内装するハウジングを備えた電動工具である。第２の発明では、ハウジングは、電動モータを収容するハウジング本体部を有している。第２の発明では、ハウジング本体部に、モータ冷却風を吸排気するための吸気孔と排気孔を備えている。ハウジング本体部には、吸気孔と排気孔を水密に塞ぐための本体防水カバーを取り付けることができる。
【０００９】
第２の発明によれば、ハウジング本体部から本体防水カバーを取り外して、吸気孔と排気孔を外部に露出させることにより、ハウジング本体内に外気（モータ冷却風）を導入して電動モータの冷却がなされる状態で当該電動工具を使用することができる。ハウジング本体部に本体防水カバーを取り付けて吸気孔と排気孔を水密に塞ぐことにより、ハウジング本体部内の防水性（水密性）を高めることができ、これにより当該電動工具を例えば水中で使用できるようになる。
【００１０】
第３の発明は、駆動源としての電動モータと、該電動モータに電力を供給する電源と、これらを水密状態で内装するハウジングを備えた電動工具である。第３の発明では、ハウジングは、電動モータを収容するハウジング本体部を有しており、ハウジング本体部に、電動モータに接触させた放熱板を外部に露出させる窓部を設けた構成となっている。
【００１１】
第３の発明によれば、電動モータが放熱板を介して空冷若しくは水冷により効率よく冷却される。第３の発明において、窓部と放熱板との間の水密状態が確保されることにより、当該電動工具を例えば水中で使用可能となる。
【００１２】
第４の発明は、駆動源としての電動モータと、該電動モータに電力を供給する電源と、これらを水密状態で内装するハウジングを備えた電動工具である。第４の発明では、ハウジングは、電動モータを収容するハウジング本体部と、ハウジング本体部から側方へ延びるハウジンググリップ部を有し、ハウジンググリップ部の先端に、電源としてのバッテリパックを取り付けるためのバッテリ取り付け部を有している。第４の発明では、バッテリ取り付け部に、バッテリパックを水密に覆うためのバッテリ防水カバーを設けた構成となっている。
【００１３】
第４の発明によれば、バッテリ防水カバーによってバッテリパックが水密状態で取り付けられる。バッテリパックの防水性を高めることにより、当該電動工具を例えば水中で使用できるようになる。
【００１４】
第５の発明は、第４の発明において、バッテリ取り付け部に、電動モータの動作を制御するコントローラに接触させた放熱板を外部に露出させる窓部を設けた電動工具である。
【００１５】
第５の発明によれば、コントローラが放熱板を介して空冷若しくは水冷により効率よく冷却される。第５の発明において、窓部と放熱板との間の水密状態が確保されることにより、当該電動工具を例えば水中で使用可能となる。
【図面の簡単な説明】
【００１６】
【図１】電動工具全体の縦断面図である。本図は、図４中(I)-(I)線断面矢視図を示している。
【図２】電動工具全体の縦断面図である。本図は、図１中(II)-(II)線断面矢視図を示している。
【図３】電動工具の本体部の横断面図である。本図は、図１中(III)-(III)線断面矢視図を示している。
【図４】本発明の実施形態に係る電動工具の前面図である。本図は、電動工具を図１中矢印(IV)方向から見た図である。
【図５】図４中(V)-(V)線断面矢視図である。本図は、工具本体部の横断面を下方から見た図である。
【図６】図１中(VI)-(VI)線断面矢視図である。本図は、工具本体部の後部側の縦断面図を示している。
【図７】図１中(VII)-(VII)線断面矢視図である。
【図８】図１中(VIII)-(VIII)線断面矢視図である。
【図９】図１中(IX)-(IX)線断面矢視図である。
【図１０】図１中(X)-(X)線断面矢視図である。
【発明を実施するための形態】
【００１７】
次に、本発明の実施形態を図１〜図１０に基づいて説明する。図１に示すように本実施形態では電動工具１として例えば電気ドリルとして利用できる手持ち式の回転工具を例示している。この電動工具１は、ハウジング１０に駆動源としての電動モータ３０を内装した工具本体部２と、工具本体部２の側部から側方へ延びるグリップ部３を備えている。
【００１８】
また、この電動工具１のハウジング１０は、工具本体部２を構成する円筒形状のハウジング本体部１１と、グリップ部３を構成するハウジンググリップ部１２が一体に成形された樹脂製ハウジングで、いわゆる半割り構造を有しない一体形ハウジングとなっている。円筒形状のハウジング本体部１１の内部は、中間区画壁１３によって概ね前後に区画されている。ハウジング本体部１１の内部であって、中間区画壁１３の後ろ側に電動モータ３０が内装されている。工具本体部２の詳細が図３に示されている。
【００１９】
電動モータ３０にはＤＣブラシレスモータが用いられている。電動モータ３０は、固定子鉄心３１ａの各歯部に絶縁層を介して駆動コイルを巻き線してなる固定子３１と、固定子３１の内周側に回転自在に支持された回転子３２を備えている。固定子３１は、固定子フレーム３３を介してハウジング本体部１１の内周側に固定されている。固定子鉄心３１ａはその外周面を固定子フレーム３３の内周面に接触させた状態で相互に固定されている。固定子フレーム３３の外周側には、ハウジング本体部１１に設けた窓部１１ｃが位置している。窓部１１ｃについては後述する。
【００２０】
回転子３２を回転支持するモータ軸３４は、前後２つの軸受３５，３６を介してハウジング本体部１１に対して回転自在に支持されている。前側の軸受３５は、中間区画壁１３に保持され、後ろ側の軸受３６はハウジング本体部１１の後部に保持されている。後ろ側の軸受３６と回転子３２との間において、モータ軸３４には冷却ファン３７が取り付けられている。図示するように後ろ側の軸受３６は、冷却ファン３７に対してモータ軸３４の軸線方向（モータ軸線方向）にオーバーラップして配置されている。冷却ファン３７の周囲にはバッフルプレート３８が配置されている。バッフルプレート３８は、その周縁をハウジング本体部１１の内周面に当接される位置まで張り出している。電動モータ３０の起動により冷却ファン３７が回転すると、このバッフルプレート３８により当該バッフルプレート３８の前側から後ろ側へ流れるモータ冷却風の流れが発生する。
【００２１】
固定子３１の前端面に沿ってセンサ基板３９が取り付けられている。センサ基板３９の後面（回転子３２側の対向面）には、回転子３２の回転位置を検出するための磁気センサが複数個取り付けられている。
【００２２】
モータ軸３４の前部は、中間区画壁１３から前方へ突き出されている。モータ軸３４には、３段の遊星歯車列１４〜１６が直列に接続されている。３段の遊星歯車列１４〜１６は、前側をフロントケース１９で区画され、後ろ側を中間区画壁１３で区画され、周囲をギヤハウジング２０で油密に区画されるギヤ室内に収容されている。図２に示すようにギヤハウジング２０は４本の固定ビス２０ａによりフロントケース１９側に結合されている。ギヤ室がギヤハウジング２０等により区画されることにより、遊星歯車列１４〜１６に塗布されたグリスの周囲への飛散が防止される。
【００２３】
３段目の遊星歯車列１６の出力側（キャリア）にスピンドル１７が結合されている。電動モータ３０の回転出力は、３段の遊星歯車列１４〜１６で減速されてスピンドル１７に出力される。スピンドル１７の先端には、ドリルビット等の先端刃具（図示省略）を取り付けるためのチャック部１８が取り付けられている。スピンドル１７は、前後２つの軸受１７ａ，１７ｂを介してフロントケース１９に回転自在に支持されている。
【００２４】
図４に示すようにフロントケース１９は、４本の固定ねじ２１でハウジング本体部１１の前部に結合されている。ハウジング本体部１１の前部とフロントケース１９との間にはＯリング１９ａが介装されている。このＯリング１９ａによってフロントケース１９は、ハウジング本体部１１の前部に水密に結合されている。スピンドル１７の前端部はフロントケース１９から突き出されており、この突き出し部分にチャック部１８が取り付けられている。また、フロントケース１９の内周側において、前側の軸受１７ａの前側にはシール部材１９ｂが装着されている。このシール部材１９ｂによってフロントケース１９の内周側が外部に対して水密に遮蔽されている。
【００２５】
ハウジング本体部１１の後部には、小径側に段付き形成された水密部１１ａが設けられている。図６に示すように水密部１１ａの左右側部には、複数の窓部１１ｂが設けられている。図５に示すように各窓部１１ｂはバッフルプレート３８により、前側と後ろ側に仕切られている。各窓部１１ｂの前側は吸気孔１１ｂａとされ、後ろ側は排気孔１１ｂｂとされている。電動モータ３０の起動により冷却ファン３７が回転すると、前側の各吸気孔１１ｂａから外気が吸気される。ハウジング本体部１１内に吸気された外気により、主として電動モータ３０の固定子３１、回転子３２、センサ基板３９等の冷却がなされる。モータ冷却風として導入された外気は、バッフルプレート３８の内周側から後ろ側の排気孔１１ｂｂを経て外部に排気される。
【００２６】
水密部１１ａには、樹脂製の本体防水カバー４０を取り付けることができる。本体防水カバー４０は、Ｏリング４１を介して水密部１１ａの全体に覆い被さる状態で取り付けられる。この本体防水カバー４０により、水密部１１ａの各窓部１１ｂが水密に塞がれた状態となる。図５及び図６に示すように本体防水カバー４０の内周面には、抜け止め突起部４０ａが設けられている。各抜け止め突起部４０ａが窓部１１ｂに係合されることにより、当該本体防水カバー４０の不用意な脱落が防止される。当該本体防水カバー４０の弾性変形を利用して各抜け止め突起部４０ａを窓部１１ｂに対して係脱させることができ、これにより本体防水カバー４０を水密部１１ａに対して取り付け、取り外しすることができる。
【００２７】
当該電動工具１を通常の環境下（大気中）で使用する場合には、本体防水カバー４０を取り外すことにより、ハウジング本体部１１内にモータ冷却風を導入することができる。これに対して、水密部１１ａに本体防水カバー４０を装着することにより、当該電動工具１を例えば水中で用いることができる。本体防水カバー４０を装着することにより、全ての吸気孔１１ｂａ及び全ての排気孔１１ｂｂが水密に塞がれて、ハウジング本体部１１内への浸水が防止される。この場合には、以下説明する窓部１１ｃによって電動モータ３０の冷却（空冷又は水冷）がなされる。
【００２８】
窓部１１ｃは、固定子フレーム３３の側方に配置されている。窓部１１ｃは、ハウジング本体部１１の側部に周方向に適宜間隔をおいた複数個所に設けられている。この窓部１１ｃに対向して、固定子フレーム３３の外周面に一段低い浸水段差部３３ａが設けられている。各窓部１１ｃから進入した水は、浸水段差部３３ａを経て当該固定子フレーム３３の外周面全周にわたって直接接触される。窓部１１ｃから進入した水が全周に接触されることにより、当該固定子フレーム３３の冷却がなされる。固定子フレーム３３が水により冷却されることにより、当該固定子フレーム３３の内周面に直接接触された固定子鉄心３１ａひいては固定子３１が冷却される。
【００２９】
固定子フレーム３３の浸水段差部３３ａの前後において、当該固定子フレーム３３とハウジング本体部１１の内周面との間には、それぞれＯリング４２，４３が介装されている。Ｏリング４２，４３によって、窓部１１ｃから進入した水がハウジング本体部１１の内周側に侵入することが防止されている。
【００３０】
グリップ部３の基部前面には、使用者が指先で引き操作するスイッチレバー４が配置されている。スイッチレバー４は、ハウジンググリップ部１２に二色成形により一体に設けたカバー部１２ａが覆い被せられている。このカバー部１２ａにより、ハウジンググリップ部１２の窓部１２ｂとスイッチレバー４との間の隙間は水密に塞がれている。スイッチレバー４の後ろ側において、ハウジンググリップ部１２の内部には、スイッチ本体２２が支持されている。スイッチレバー４を指先で引き操作すると、スイッチ本体２２がオンする。スイッチ本体２２がオンすると電動モータ３０が起動し、これによりスピンドル１７がその軸回りに高速回転する。
【００３１】
また、グリップ部３の基部付近には、電動モータ３０の回転方向を切り換えるための正逆切り換えレバー２３が設けられている。正逆切り換えレバー２３の両端部は左右に突き出されている。左右に突き出された部分は、上記スイッチレバー４と同じく、ハウジンググリップ部１２の成形時に二色成形されたカバー部２３ａによって水密に覆われている。
【００３２】
グリップ部３の先端には、バッテリ取り付け部５０が設けられている。このバッテリ取り付け部５０に一つのバッテリパック５が取り付けられている。このバッテリパック５を電源として電動モータ３０が起動する。バッテリパック５は、バッテリ取り付け部５０から取り外して、別途用意した充電器で充電することにより繰り返し使用することができる。バッテリ取り付け部５０は、ハウジンググリップ部１２の下部に一体に成形された取り付けベース部５１を備えている。取り付けベース部５１は、ハウジンググリップ部１２の下部から側方へ張り出す状態に設けられている。
【００３３】
取り付けベース部５１の下面側には、バッテリパック５を機械的に結合するための左右一対のスライドレール部６１と、電気的に接続するための正負の端子板６２が設けられている。図２及び図９に示すように左右一対のスライドレール部６１は、左右半割り構造のサブハウジング６１ａに設けられている。左右のサブハウジング６１ａは、図１に示すように３箇所の固定ねじ６１ｂで相互に結合されている。図７〜図１０に示すように相互に結合された半割り構造のサブハウジング６１ａは、固定ねじ６１ｃでバッテリ取り付け部５１に対して固定されている。
【００３４】
半割り構造のサブハウジング６１ａに、バッテリパック５に対して電気的に接続される正負の端子板６２と、電動モータ３０の動作制御をするためのコントローラ６０が支持されている。コントローラ６０は、矩形底浅のケースに制御回路基板６５を収容して樹脂でモールドしたもので、ケースの底面に正負の端子板６２がインサート成形されて一体に設けられている。正負の端子板６２を経て供給されるバッテリパック５の電力は、コントローラ６０の制御回路基板６５から電源線６３を経て電動モータ３０に供給される。図１に示すように電源線６３は、コントローラ６０の上面から上方へ立ち上がってハウジンググリップ部１２内を上方へ配線されている。電源線６３は、電動モータ３０のセンサ基板３９に結線されている。制御回路基板６５の上面に設けたコネクタ接続部には、スイッチ本体２２への信号線等の各種配線が接続されている。制御回路基板６５の上面には、コンデンサ６５ａ及び複数個のスイッチング素子（ＦＥＴ）が搭載されている。
【００３５】
バッテリパック５は、６面を有する概ね直方体形状のケース内に複数本のセルを内装したリチウムイオンバッテリが用いられている。また、バッテリパック５は、ねじ締め機や切断機等の他の電動工具の電源としても利用可能で、本実施形態の電動工具１の電源として使い回すことができる汎用性の高いものが用いられている。本実施形態では出力電圧が１８Ｖのリチウムイオンバッテリが用いられている。図１中白抜き矢印で示すようにバッテリパック５は、後方へ向けてスライドさせることによりバッテリ取り付け部５０に取り付けられ、前方へスライドさせることによりバッテリ取り付け部５０から取り外すことができる。バッテリパック５は、その上面に設けたレール部をバッテリ取り付けベース部５１側のレール受け部に係合させることによりバッテリ取り付けベース部５１に対して機械的に取り付けられる。
【００３６】
バッテリ取り付け部５０にはバッテリパック５、正負の端子板６２及びコントローラ６０等を水密に覆うためのバッテリ防水カバー５４が設けられている。バッテリ防水カバー５４は、取り付けベース部５１の後部に支軸５３を介して上下に開閉可能に支持されている。バッテリ防水カバー５４の左右側部には、それぞれバックル形の留め具５５が設けられている。左右の留め具５５の留め金５５ａを取り付けベース部５１の側部に一体に設けた引き掛け部５１ａに引き掛けてレバー５５ｂをロック側に倒すことにより、当該バッテリ防水カバー５４が閉じ状態にロックされる。レバー５５ｂをアンロック側に起こして留め金５５ａを引き掛け部５１ａから外すことにより、当該バッテリ防水カバー５４を開放することができる。図２及び図７〜図１０に示すようにバッテリ防水カバー５４の開口側端縁には、シールリング５４ａが装着されている。このシールリング５４ａにより、バッテリ防水カバー５４の閉じ状態では、取り付けベース部５１との間に形成されるバッテリ取り付けスペースが水密に保持される。
【００３７】
取り付けベース部５１の前側にも水冷用の窓部５６が設けられている。図１及び図９に示すように窓部５６の下部（底部）は、シールリング５８を装着した放熱板５７により水密に塞がれている。放熱板５７は、窓部５６の下部とコントローラ６０の上面との間に挟み込まれて固定されている。放熱板５７が接触していることによりコントローラ６０（主としてスイッチング素子）の冷却が効率よくなされる。特に、当該電動工具１を水中で使用する場合等において、窓部５６内に水が進入して放熱板５７に接触することによりコントローラ６０が水冷により効率よく冷却される。
【００３８】
以上のように構成した本実施形態の電動工具１によれば、駆動源としてＤＣブラシレスモータ（電動モータ３０）を内装していることから、ブラシモータを駆動源とする場合のようなブラシ粉が発生することがなく、その結果カーボンブラシの粉塵対策を施す必要がない。これにより、ハウジング本体部１１の水密性をより高めてＤＣブラシレスモータ３０を内装することができ、これにより当該電動工具１の少なくとも工具本体部２については例えば水中あるいは豪雨中の屋外で使用可能とすることができる。
【００３９】
また、例示した実施形態によれば、ハウジング本体部１１の水密部１１ａに、モータ冷却風を吸排気するための吸気孔１１ｂａと排気孔１１ｂｂを備えている。この吸気孔１１ｂａと排気孔１１ｂｂにより、当該電動工具１の通常環境下（大気中）での使用においてＤＣブラシレスモータ３０の冷却（空冷）がなされる。これに対して、ハウジング本体部１１の水密部１１ａに本体防水カバー４０を取り付けることにより、吸気孔と排気孔を水密に塞ぐことができるので、この点でも当該電動工具１の少なくとも工具本体部２については例えば水中や豪雨中での使用を可能とすることができる。
【００４０】
さらに、例示した実施形態によれば、バッテリ取り付け部５０においてバッテリ防水カバー５４を閉じておくことにより、バッテリパック５を極めて高い水密状態で収容しておくことができる。この点で、当該電動工具１の少なくともバッテリ取り付け部５０について水中や豪雨中での使用を可能とすることができる。
【００４１】
このように、例示した実施形態によれば、モータ冷却用の吸気孔１１ｂａと排気孔１１ｂｂが本体防水カバー４０により水密に塞がれ、フロントケース１９がＯリング１９ａによりハウジング本体部１１に水密に結合され、フロントケース１９とスピンドル１７との間がシール部材１９ｂにより水密に塞がれて工具本体部２の高い水密性が確保されている。また、グリップ部３においてスイッチレバー４は、カバー部１２ａにより水密に塞がれている。さらに、バッテリパック５を取り付けたバッテリ取り付け部５０の水密性がバッテリ防水カバー５４により確保されている。以上のことから、電動工具１の全体については高い水密性が確保されており、これにより当該電動工具１を水中や豪雨中で使用することができる（完全防水仕様）。
【００４２】
また、例示した実施形態によれば、工具本体部２に水冷用の窓部１１ｃが設けられて、水中や豪雨中での使用時における主として固定子３１の冷却が水冷により効率よくなされるようになっている。さらに、バッテリ取り付け部５０の取り付けベース部５１にも水冷用の窓部５６が設けられている。この窓部５６によれば、当該電動工具１の水中や豪雨中での使用時において、スイッチング素子等の発熱源を有するコントローラ６０の冷却が効率よくなされる。以上のことから、当該電動工具１を完全防水仕様で使用する場合にも、電動モータ３０及びコントローラ６０の冷却がなされ、これにより当該電動工具１の安定した動作性能及び耐久性を高めることができる。
【００４３】
以上説明した実施形態には種々変更を加えることができる。例えば、左右半割り構造を有しないハウジング１１を例示したが、半割り構造を有するハウジングについて適切な防水対策を施すことにより同等の作用効果を得ることができる。
【００４４】
また、バッテリパック５として、他の電動工具の電源としても使い回せるものを用いる構成を例示したが、専用のバッテリパックを内蔵した電動工具についても同様に適用することができる。内蔵バッテリであれば、内蔵したまま充電可能とすることによりハウジング内から取り外す必要がなく、この点で例示したようなバッテリ防水カバー５４を省略して当該電動工具１の水密性を一層高めることができる。
【００４５】
さらに、スライド取り付け形式のバッテリパック５を例示したが、差し込み式のスティック形バッテリパックを電源として取り付ける構成の場合についても、例示した防水構造を適用することができる。
【００４６】
電動工具１として電気ドリルを例示したが、ねじ締め機、ポリッシャ、グラインダ、切断工具等について例示した防水構造を適用することにより同等の作用効果を得ることができる。
【符号の説明】
【００４７】
１…電動工具
２…工具本体部
３…グリップ部
４…スイッチレバー
５…バッテリパック
１０…ハウジング
１１…ハウジング本体部
１１ａ…水密部、１１ｂ…窓部、１１ｂａ…吸気孔、１１ｂｂ…排気孔
１１ｃ…窓部
１２…ハウジンググリップ部、１２ａ…カバー部、１２ｂ…窓部
１３…中間区画壁
１４〜１６…遊星歯車列
１７…スピンドル、１７ａ，１７ｂ…軸受
１８…チャック部
１９…フロントケース、１９ａ…Ｏリング、１９ｂ…シール部材
２０…ギヤハウジング、２０ａ…固定ビス
２１…固定ねじ
２２…スイッチ本体
２３…正逆切り換えレバー、２３ａ…カバー部
３０…電動モータ
３１…固定子、３１ａ…固定子鉄心
３２…回転子
３３…固定子フレーム、３３ａ…浸水段差部
３４…モータ軸
３５，３６…軸受
３７…冷却ファン
３８…バッフルプレート
３９…センサ基板
４０…本体防水カバー
４１…Ｏリング
４２，４３…Ｏリング
５０…バッテリ取り付け部
５１…取り付けベース部、５１ａ…引き掛け部
５３…支軸
５４…バッテリ防水カバー、５４ａ…シールリング
５５…留め具、５５ａ…留め金、５５ｂ…レバー
５６…窓部
５７…放熱板
５８…シールリング
６０…コントローラ
６１…スライドレール部、６１ａ…サブハウジング、６１ｂ，６１ｃ…固定ねじ
６２…端子板（正負）
６５…制御回路基板、６５ａ…コンデンサ
【図１】
0006618726.tif 000002
【図２】
0006618726.tif 000003
【図３】
0006618726.tif 000004
【図４】
0006618726.tif 000005
【図５】
0006618726.tif 000006
【図６】
0006618726.tif 000007
【図７】
0006618726.tif 000008
【図８】
0006618726.tif 000009
【図９】
0006618726.tif 000010
【図１０】
0006618726.tif 000011